(57)【特許請求の範囲】
【請求項１】
３枚以上に重ねられた複数の剃刀を有する髭剃り又はその他の部分の体毛用の安全剃刀において、
最下層及び最上層に位置する剃刀の刃を平行に設け、
間に位置する複数の剃刀の刃の縁を、前記平行に位置する剃刀の刃の縁間に区画される平面に沿うように設けると同時に、前記平行に位置する剃刀の刃の縁に対して傾きを持って設け、
前記間に位置する複数の剃刀の刃の縁は、平行でなく、前記最下層から最上層へと通過する前記髭又は体毛を、それぞれ異なる向きから続けて切るように設けられていることを特徴とする安全剃刀。
【請求項２】
３枚以上に重ねられた複数の剃刀を有する安全剃刀において、
最下層及び最上層に位置する剃刀の刃を平行に設け、
間に位置する１以上の剃刀の刃の縁を、前記平行に位置する剃刀の刃の縁間に区画される平面に沿うように設けると同時に、前記平行に位置する剃刀の刃の縁に対して傾きを持って設けてあり、
３枚の剃刀であって、平らな刃を有している第1層及び第3層用の剃刀と、刃の部分の断面形状がギザギザの刃を有している第２層用の剃刀と、
前記３枚の剃刀が最下層から最上層へと順に第１層、第２層、第３層と重ねて納められる収納部とを有しており、
前記収納部において、第１層と第３層の剃刀は平行に設けられており、第１層の剃刀の刃の縁は第３層の剃刀の刃の縁よりも突出しており、第２層の剃刀の刃の縁は、第１層及び第３層の剃刀の刃の縁間に区画される平面に沿うように設けられていることを特徴とする安全剃刀。
【請求項３】
前記最下層の剃刀に対し直交する向きに伸びるＴ字状の把持部を有している請求項１又は請求項２に記載の安全剃刀。
【発明の詳細な説明】
【技術分野】
【０００１】
本発明は、重ねられた複数の剃刀を有する安全剃刀及びその製造方法に関する。
【背景技術】
【０００２】
従来、均一な間隔となるように重ねられた2枚の剃刀を有し、当該剃刀に直交するT字型の把持部を有する、いわゆる2枚刃の安全剃刀が知られている。
【０００３】
二枚刃にする理由は、最初の剃刀が髭を引き出し、次の剃刀で前記引き出した髭を切ることによって深剃りを行うためである。一方で、刃物は髭に対して直角に当てるよりも、例えばギロチン刃のように斜めに、はすに切る方が、切れ味が良いことが一般に知られている。
【０００４】
例えば特許文献１には、均一な間隔となるように重ねられた2枚の剃刀を有し、当該剃刀に対して斜め（約83度）に伸びる把持部を有する安全剃刀が提案されている。
【先行技術文献】
【特許文献】
【０００５】
【特許文献１】実用新案登録第３０７４８８９号
【発明の概要】
【発明が解決しようとする課題】
【０００６】
特許文献1に記載の安全剃刀では、最初の剃刀が斜めに設けられているため切れ味が良いが、結果として、最初の剃刀によって髭を引き出す力が減少し、十分な深剃りができなくなるといった問題がある。
【０００７】
また、特許文献1に記載の安全剃刀では、鏡を見ながら、或いは、剃刀の様子を目視確認しながら髭を剃る際に、無意識のうちに、刃の部分が直交する向きに剃刀を動かしてしまう場合がある。これは、斜めに剃刀を動かした際に、皮膚を切ってしまうという経験又は知識に基づいて行われる怪我予防の行為である。このような場合、剃刀を斜めにした効果は発揮されていない。
【０００８】
本発明は、上記従来例の問題を解決するためになされたものであり、髭を引き出す力が強く、かつ切れ味の良い深剃りの可能な安全剃刀を提供することを目的とする。
【課題を解決するための手段】
【０００９】
上記目的を達成するために本発明に係る安全剃刀は、３枚以上に重ねられた複数の剃刀を有する髭剃り又はその他の部分の体毛用の安全剃刀において、最下層及び最上層に位置する剃刀の刃を平行に設け、間に位置する複数の剃刀の刃の縁を、前記平行に位置する剃刀の刃の縁間に区画される平面に沿うように設けると同時に、前記平行に位置する剃刀の刃の縁に対して傾きを持って設け、前記間に位置する複数の剃刀の刃の縁は、平行でなく、前記最下層から最上層へと通過する前記髭又は体毛を、それぞれ異なる向きから続けて切るように設けられていることを特徴とする。
【００１１】
上記安全剃刀は、好ましくは、３枚以上に重ねられた複数の剃刀を有する安全剃刀において、最下層及び最上層に位置する剃刀の刃を平行に設け、間に位置する１以上の剃刀の刃の縁を、前記平行に位置する剃刀の刃の縁間に区画される平面に沿うように設けると同時に、前記平行に位置する剃刀の刃の縁に対して傾きを持って設け、３枚の剃刀であって、平らな刃を有している第1層及び第3層用の剃刀と、刃の部分の断面形状がギザギザの刃を有している第２層用の剃刀と、前記３枚の剃刀が最下層から最上層へと順に第１層、第２層、第３層と重ねて納められる収納部とを有しており、前記収納部において、第１層と第３層の剃刀は平行に設けられており、第１層の剃刀の刃の縁は第３層の剃刀の刃の縁よりも突出しており、第２層の剃刀の刃の縁は、第１層及び第３層の剃刀の刃の縁間に区画される平面に沿うように設けられていることを特徴とする。
【００１２】
好ましくは、前記最下層の剃刀に対し直交する向きに伸びるＴ字状の把持部を有する。
【発明の効果】
【００１５】
本発明の安全剃刀によれば、最下層の第１層の剃刀を髭剃り方向に対して直交するように動かすことにより、髭を引き出して切り、次に、間に位置する第２層の斜めになっている剃刀で引き出した髭を深剃りすることができる。また、この第２層の斜めになっている剃刀は、異なる向きに生えている癖髭をすくい上げて切る機能を発揮する。さらに第１層と並行に設けられている最上層の第３層の剃刀は、第２層の斜めになっている剃刀により斜め向きに切られた髭を、横向きの異なる向きから切ることによって一層の深剃りを実現する。
【図面の簡単な説明】
【００１６】
【図１】（ａ）〜（ｆ）は本発明の一実施の形態に係る3枚刃の安全剃刀を示す６面図。
【図２】ガイド部に３枚の剃刀を差し込み、差し込んだものを本体の収納部に収納することによって安全剃刀が組み立てられることを示す組立図。
【図３】３枚刃でひげ及び癖髭が剃られる様子を示す図。
【図４】（ａ）〜（ｆ）は安全剃刀に収納されている３枚刃の部分を実線で表し、その他を点線で表した６面図。
【図５】（ａ）〜（ｆ）は３枚刃を各方向から見た場合の斜視図。
【図６】（ａ）〜（ｆ）は３枚刃の内の最下層にある第１層の剃刀の６面図。
【図７】（ａ）〜（ｆ）は３枚刃の内の真ん中にある第２層の剃刀の６面図。
【図８】（ａ）〜（ｆ）は３枚刃の内の最上層にある第３層の剃刀の６面図。
【図９】（ａ）〜（ｆ）は３枚の剃刀を支えるガイド部の６面図。
【図１０】（ａ）〜（ｆ）は安全剃刀の変形例に用いる３枚刃を各方向から見た場合の斜視図。
【図１１】（ａ）〜（ｆ）は変形例に係る安全剃刀の６図面図。
【発明を実施するための形態】
【００１７】
本発明の安全剃刀は、３枚以上に重ねられた複数の剃刀を有する安全剃刀において、最初と最後の位置にある剃刀の刃を平行に設け、その間にある１以上の剃刀を斜めに設けたことを特徴とする。最初と最後の位置にある剃刀の刃を平行に設けたことによって、斜めに剃刀を動かすと皮膚を切ってしまうという経験又は知識に基づいて行われる怪我予防の行為、即ち、剃刀の刃の部分が髭剃り方向と直交する向きになるように動かすのが容易になる。また、髭に最初にあたる剃刀は、直交する向きに当たるので斜めに当たる場合に比べて、引っ込んでいる髭を引き出す作用が強い。斜めに設けた剃刀の刃は、ギロチン刃となっており、直交する向きに当たる剃刀により引き出された髭を切れ味よく切ることができる。この斜めに設けた剃刀の刃は、平行に設けられている剃刀では切るのが難しい、他と異なる向きに生えていたり、カールしている癖髭を上手にすくい上げて引き出して切ることができる。髭は1本ごと見ると、柔らかいものであるので、剃刀の刃による切断面には、いわゆるバリに相当する切残し部分が残る。斜めに設けた剃刀の後に設けられている、髭に直交する向きにあたる剃刀は、斜め方向から切られた癖髭を横方向から切り、バリの部分を切り取って深剃りを実現する。
【００１８】
本発明の一実施の形態に係る安全剃刀について添付の図面を参照しつつ説明する。図１には、３枚の剃刀６ａ〜６ｃを並べた構造の安全剃刀１の（ａ）正面図、（ｂ）背面図、（ｃ）右側面図、（ｄ）左側面図、（ｅ）平面図、（ｆ）底面図を示す。安全剃刀１は、本体２と、把持部３とを備えている。把持部３は、最下層にある第１層の剃刀６ａに対し直交する向きに伸びるＴ字状の把持部である。把持部３は、剃刀６ａ、６ｃと同じ向きに沿って設けられてもよい。安全剃刀１では、平らな刃を持つ３枚の剃刀の内、最下層及び最上層に位置する剃刀６ａ、６ｃを平行に設け、間に位置する剃刀６ｂの縁を、平行に位置する剃刀６ａ、６ｃの刃の縁間に区画される平面に沿うように設けると同時に、平行に位置する剃刀６ａ、６ｃの刃の縁に対して傾き（図１（ａ）に角度αで示す。以下同じ）を持って設けたことを特徴とする。なお、「間に位置する１以上の剃刀の刃の縁を、前記平行に位置する剃刀の刃の縁間に区画される平面に沿うように設ける」とは、剃刀６ｂだけが他の剃刀６ａ、６ｃが機能しなくなるほど突出したり、剃刀６ｂが機能しなくなるほど引っ込んでいる実施例を排除するための記載で、安全剃刀１の複数の剃刀それぞれが機能を発揮し得る範囲で、剃刀６ｂが前記平面からわずかに出たり、引っ込んでいたりする実施例は実質同一のものとして含む。
【００１９】
図２の組立図に示すように、本体２は、収納部４を有している。この収納部４には、ガイド部５が収納される。ガイド部５は、最下層から最上層へと順に第１層の剃刀６ａ、第２層の剃刀６ｂ、第３層の剃刀６ｃを重ねて位置決めし、収納部4に収めるのに用いられる。ガイド部５は、第１層と第３層の剃刀６ａ、６ｃを平行に設けると同時に、第１層の剃刀６ａの刃の縁を第３層の剃刀６ｃの刃の縁よりも突出するように設け、第２層の剃刀６ｂの刃の縁を第１層及び第３層の剃刀６ａ、６ｃの刃の縁間に区画される平面に沿うように設けると同時に、第２層の剃刀６ｂの刃の縁を第１及び第３層の剃刀６ａ、６ｃの刃の縁に対して傾きを持って配置する。
【００２０】
安全剃刀１の製造は、ガイド部５によって３枚の剃刀６ａ〜６ｃの位置を決める工程と、３枚の剃刀６ａ〜６ｃを収納部に収納する工程とによって行われる。これらの工程は、具体的には、ガイド部５に３枚の剃刀６ａ〜６ｃをセットした後に、本体２の収納部４に収める工程によって、或いは本体２の収納部４にガイド部５を先に収納した後に、３枚の剃刀６ａ〜６ｃを挿入する工程によって行われる。これにより、均一な精度の安全剃刀１を少ない手順で製造することができる。３枚の剃刀６ａ〜６ｃは、略矩形形状を有しており、収納部４に収納した場合に刃と反対側の端部が第１層の剃刀の端部の位置に揃うようになっており、前記収納する工程においては、前記ガイド部により位置の決められた３枚の剃刀の刃と反対側の端部が揃うように押し込む。
【００２１】
図３に示すように、３枚刃の内の第１層の剃刀６ａは、髭に対し直交する向き、即ち直角に当たるように真横から矢印方向に移動される。この場合、斜めに傾けた剃刀を当てる場合に比べて、髭は切断されにくく、結果、髭をひっかけて引っ張っている時間が長くなるため、髭を多く引き出すことができる。第２の斜めに傾けた剃刀６ｂは、第１の剃刀６ａによって引き出された髭を切れ味よく切る。これにより、同じ向きの剃刀が重ねられている構造の従来の安全剃刀に比べて、深剃りが実現される。特に２枚の剃刀が髭に対し直交する向きに当たるように設けてある場合に比べれば、２枚目の剃刀に引っ張られすぎることなく、皮膚を傷つけたりすることが少ない。また、この第２の剃刀６ｂは、剃刀６ａが剃り残してしまうような、異なる向きに生えていたり、カールしている癖髭を上手にすくい上げて引き出して切ることができる。第１剃刀６ａと、第２剃刀６ｂの間、または、第２剃刀６ｂと第３剃刀６ｃとの間では、異なる向きから髭を剃るので、髭の切断面に残る、いわゆるバリのような切残し部分を除去することができる。
【００２２】
図４には、ガイド部５によって位置決めされている３枚の剃刀６ａ〜６ｃの様子を実線で示し、その他の構成要素を点線で表した（ａ）正面図、（ｂ）背面図、（ｃ）右側面図、（ｄ）左側面図、（ｅ）平面図、（ｆ）底面図を示す。また、図５には、図４において実線で示した３枚刃の（ａ）〜（ｆ）の図に表される面を手前に設けた場合の斜視図を示す。本図によれば、最下層及び最上層に位置する剃刀６ａ、６ｃが平行に設けられており、間に位置する剃刀６ｂの縁を、前記平行に位置する剃刀６ａ、６ｃの刃の縁間に区画される平面に沿うように設けると同時に、前記平行に位置する剃刀６ａ、６ｃの刃の縁に対して傾きを持って設けてあることが容易に理解される。図５（ｂ）に明確に示すように、３枚の剃刀６ａ〜６ｃの後ろ端は面一に揃えられており、ガイド部５の最奥にまで押し込むことによって、正確な位置決めをすることができる。図６乃至図８は、剃刀６ａ、６ｂ、６ｃそれぞれの（ａ）正面図、（ｂ）背面図、（ｃ）右側面図、（ｄ）左側面図、（ｅ）平面図、（ｆ）底面図を示す。この３つの図面を比較すれば理解されるように、３枚の剃刀は、刃と反対側にある端の部分の前記刃からの長さが異なるだけである。故に、第１層の剃刀６ａを３枚製造の後、剪断器で端の部分を切除するだけで、比較的容易に３枚の剃刀６ｂ、６ｃを製造することができる。
【００２３】
図９には、ガイド部５の（ａ）正面図、（ｂ）背面図、（ｃ）右側面図、（ｄ）左側面図、（ｅ）平面図、（ｆ）底面図を示す。ガイド部５は、３枚の剃刀６ａ〜６ｃの刃の反対側の端を当接させて刃の突出量を決めるための当て板５ａと、第２層の剃刀６ｂを傾けて第１層の剃刀６ａ上に配置し、第２層の剃刀６ｂの上に第３層の剃刀６ｃを配置するための突起５ｂ、５ｃとで構成される。第２層の剃刀６ｂの傾きは、先行して髭にあたる第１層の剃刀６ａが引き出してくれた髭が再び引っ込んでしまう前に当たる程度の距離となるように決める（一般に値は小さい方が好ましい）。この条件を満たす範囲内において、更に、第２層のカミソリ６ｂがギロチン刃として有効に機能すると共に、癖髭を上手にすくい上げて切るのに有効な値（一般に値は大きい方が好ましい）に設定する。より具体的には、この値は、剃刀の刃渡りの長さとの関係、さらには、剃刀そのものの切れ味等の要因により変わる実験結果から定められる。一例として、刃渡り３０~４０ｍｍの剃刀を用いる場合、１度〜１０度の範囲の値、好ましくは、４度から７度までの範囲の値に設定する。
【００２４】
図１０には、安全剃刀１の変形例の３枚刃の（ａ）正面図、（ｂ）背面図、（ｃ）右側面図、（ｄ）左側面図、（ｅ）平面図、（ｆ）底面図で表される面を手前に設けた場合の斜視図を示す。本変形例では、３枚刃を剃刀６ａを重ね合わせて構成する。この場合、図１０（ｆ）に点線で囲んで示すように、刃と反対側の端の部分がずれる。第２層の剃刀６ｂ及び第3層の剃刀６ｃの刃と反対側にある端の部分のずれに応じて、当て板５ａの該当部分の厚みを調節する。具体的には、当て板５ａの該当部分の厚みは、設計データから求められる他、収納部４に柔らかい状態の熱可塑性樹脂を注入し、スペーサーなどで角度及び位置を決めた剃刀６ａ〜６ｃを挿入し、前記熱可塑性樹脂を加熱して硬化させることによって正確に調べることができる。厚みを調節した当て板５ａに突起５ｂ、５ｃを付けた形状の形成用型を用いて、又は３Ｄモデリング技術を用いて直接樹脂を積層し硬化することによって、変形例に係るガイド部５を製造する。当該安全剃刀１の変形例は、剃刀として剃刀６ａのみを用意すればよく、安全剃刀１に比べて、部品点数の減少を図ることができる。
【００２５】
図１１には、変形例に係る安全剃刀１０の（ａ）正面図、（ｂ）背面図、（ｃ）右側面図、（ｄ）左側面図、（ｅ）平面図、（ｆ）底面図を示す。安全剃刀１と同じ構成物には同じ参照番号を付してここでの重複した説明は省く。安全剃刀１０では、第２層の剃刀６ｂの代わりに、刃の部分の断面形状、即ち図１１（ａ）正面図に示すように、刃を正面から見た場合の形状がギザギザ又は鋸歯状に細かく折り曲げられている剃刀７を用いる。剃刀７の刃先のみがギザギザ又は鋸歯状に折り曲げられている場合には、ガイド部５が必要であるが、剃刀７の全体がギザギザ又は鋸歯状に折り曲げられている場合、安全剃刀１０は剃刀６ａ、７、６ｃを順に重ね合わせて収納部４に収納するだけで製造可能となる。この結果、ガイド部５が不要になり、部品点数を少なくすることができる。安全剃刀１と比較して、平行に並べられた剃刀６ａ、６ｃの間隔を変えないとすると、刃の傾きを大きくして、ギロチン刃としての機能を高めることができる。または、安全剃刀１と比較して、剃刀７の刃の傾きを剃刀６ａと同じ傾きにすれば、第１層の剃刀ａと第３層の剃刀６ｃとの間隔を狭め、薄型化を図ることができる。なお、剃刀７の刃の縁は、平行に位置する第１及び第３の剃刀６ａ、６ｃの刃の縁間に区画される平面に沿うように設計する。
【００２６】
上記構成の安全剃刀１０は、前述の安全剃刀１に比べて、部品点数の削減、ギロチン刃としての機能向上又は薄型化を図ることができるという利点を有している。
【００２７】
本発明は、上記各種実施形態の構成に限られず、発明の骨子を逸脱しない範囲で種々の変形が可能である。例えば、安全剃刀１、１１において、最下層及び最上層に平行に設ける剃刀６ａ、６ｃの間に挟む剃刀の枚数は複数でもよい。この場合、安全剃刀１において、剃刀の刃の並べ方は、様々な癖髭をうまくすくい上げて切るために、平行でなく、それぞれ異なる向きに、例えばΣ字状、×印状にするのが好ましい。
【００２８】
また、安全カミソリ１の収納部４の開口部分にカミソリ６ａ、６ｂ、６ｃの両端を覆い、有効な切れ味の部分を開口するマスクをつける構成を採用してもよい。また、押し出し形成、形成用型等を用いて、本体２とガイド部５とを一体形成する構成を採用してもよい。
【産業上の利用可能性】
【００２９】
本発明は、髭だけでなく、その他の部分の体毛を剃るための安全剃刀にも使用することができる。
【符号の説明】
【００３０】
１、１０  安全剃刀
２        本体
３        把持部
４        収納部
５        ガイド部
６ａ〜６ｃ、７    剃刀
【要約】
【課題】  髭を引き出す力と、切れ味よく切る機能を有し、さらには癖髭を剃るのに好適な安全剃刀を提供する。
【解決手段】  本発明の安全剃刀は、３枚以上に重ねられた複数の剃刀を有する安全剃刀において、最下層及び最上層に位置する剃刀の刃を平行に設け、間に位置する複数の剃刀の刃の縁を、前記平行に位置する剃刀の刃の縁間に区画される平面に沿うように設けると同時に、前記平行に位置する剃刀の刃の縁に対して傾きを持って設け、前記間に位置する複数の剃刀の刃の縁は、平行でなく、それぞれ異なる向きに続けて髭を切るように設けた。当該構成を採用することによって、斜めに設けた刃で髭を切れ味よく切ることと、癖髭をすくい上げて引き出して切ることができる。また異なる向きに設けられている剃刀により、髭に残るバリのような切残しを除去することができる。
【選択図】図２【図１】
0005943496.tif 000002
【図２】
0005943496.tif 000003
【図３】
0005943496.tif 000004
【図４】
0005943496.tif 000005
【図５】
0005943496.tif 000006
【図６】
0005943496.tif 000007
【図７】
0005943496.tif 000008
【図８】
0005943496.tif 000009
【図９】
0005943496.tif 000010
【図１０】
0005943496.tif 000011
【図１１】
0005943496.tif 000012